(57)【要約】【課題】包装箱に物を入れて運ぶと言う機能のほかに、新たな機能を持たせた、支持脚付包装箱の蓋体及び当該包装箱を提供する。【解決手段】物を収納する底箱に被せる蓋体において、前記蓋体２の裏面に突出自在な支持脚３を設け、当該蓋体２の表面に美人画４を記載し、当該蓋体２を立設した際、前記支持脚３を外方へ突出させて当該蓋体２を当該蓋体２の側面と前記支持脚３とにより支持させ、当該蓋体２の美人画４が前方から見えるようにした。また、前記蓋体２は紙製であることとした。さらに、前記支持脚３は紙製であって折畳み自在であることとした。また、前記何れかに記載の支持脚付包装箱の蓋体を有する包装箱とした。【選択図】図１
0003197552.tif 000002
【実用新案登録請求の範囲】
【請求項１】
物を収納する底箱に被せる蓋体において、
前記蓋体の裏面に突出自在な支持脚を設け、
当該蓋体の表面に絵柄や写真等を記載又は転写し、
当該蓋体を立設した際、前記支持脚を外方へ突出させて当該蓋体を当該蓋体の側面と前記支持脚とにより支持させ、
当該蓋体の絵柄等が前方から見えるようにしたことを特徴とする、支持脚付包装箱の蓋体。
【請求項２】
前記蓋体は紙製であることを特徴とした、前記請求項１に記載の支持脚付包装箱の蓋体。
【請求項３】
前記支持脚は紙製であって折畳み自在であることを特徴とした、前記請求項１又は２の何れかに記載の支持脚付包装箱の蓋体。
【請求項４】
前記請求項１、２及び３の何れかに記載の支持脚付包装箱の蓋体を有することを特徴とした、包装箱。
【考案の詳細な説明】
【技術分野】
【０００１】
この考案は、和洋菓子店等において、菓子などを入れて持ち運びに使用する紙製の包装箱類に関するものであり、より詳しくは、当該包装箱に菓子等を持ち運ぶ他に、さらに、有効な機能を持たせた支持脚付包装箱の蓋体及び当該包装箱に関するものである。
【背景技術】
【０００２】
従来、和洋菓子店において、菓子を持ち運ぶ際、一般的に紙製の包装箱が使用されている。この様な包装箱は、一定の強度を有しながらも、軽量で、また、使用した後の処分も容易であり、使い勝手が良いものとなっている。
【０００３】
この様な包装箱として、シンプルに底箱に蓋体を被せて成るもの、箱の側面を開口させ、当該開口から商品を出し入れするもの、また、箱の上部に把手部を設けたものなど、様々なものが開発されている。
【０００４】
一方、商品の販売促進用のグッズとして、当該商品の写真、特徴等を記載したパネルを作成し、このパネルの裏に紙足を取り付けて当該パネルを安定して立てかけて設置出来るようにし、この様なパネルを店頭に置いて商品をアピールする方法がある。
【０００５】
また、薄型の小ケース・色紙等のような板状の被立て掛け体を保持できる、小型軽量で取扱いの簡単な紙スタンドがある。この紙スタンドは予め設けてあった折り目を折り上げて形成し、被立て掛け体を裏面から支持するようになっている。
【先行技術文献】
【特許文献】
【０００６】
【非特許文献１】株式会社ジョーホクWEBより「紙足（パネル用スタンド）」
【特許文献１】実用新案登録第３０１１６６９号
【考案の開示】
【考案が解決しようとする課題】
【０００７】
その様な中、前記包装箱も、ただものを運ぶと言うものから、当該包装箱自体に付加価値を持たせ、使用後の箱であっても、新たな機能を発揮させることができれば、より有効なものとなり、販売数量も増やすことができる。
【０００８】
例えば、包装箱の蓋体の表面に審美性、装飾性等を有する絵柄、写真等を転写、記載等したものであると、これを見る人に、穏やかな気持ちや和やかな気持ちを抱かせることが出来、この様な絵柄等ならば、室内に飾っても良いと言う考えも生まれてくる。
【０００９】
この考案は、この様な状況に鑑みて行われたもので、包装箱に物を入れて運ぶと言う機能のほかに、新たな機能を持たせた、支持脚付包装箱の蓋体及び当該包装箱を提供して上記課題を解決するものである。
【課題を解決するための手段】
【００１０】
請求項１の考案は、物を収納する底箱に被せる蓋体において、前記蓋体の裏面に突出自在な支持脚を設け、当該蓋体の表面に絵柄や写真等を記載又は転写し、当該蓋体を立設した際、前記支持脚を外方へ突出させて当該蓋体を当該蓋体の側面と前記支持脚とにより支持させ、当該蓋体の絵柄等が前方から見えるようにした支持脚付包装箱の蓋体とした。
【００１１】
請求項２の考案は、前記蓋体は紙製である前記請求項１に記載の支持脚付包装箱の蓋体とした。
【００１２】
請求項３の考案は、前記支持脚は紙製であって折畳み自在である前記請求項１又は２の何れかに記載の支持脚付包装箱の蓋体とした。
【００１３】
請求項４の考案は、前記請求項１、２及び３の何れかに記載の支持脚付包装箱の蓋体を有する包装箱とした。
【考案の効果】
【００１４】
請求項１及び４の各考案によれば、前記蓋体の裏面に突出自在な支持脚を設け、この蓋体を裏面から突出した支持脚と蓋体の側面で支持するようにしたので、この蓋体が写真スタンドの如く、絵柄等が前方から良く見ることが出来、人に、穏やかな気持ちや和やかな気持ちを抱かせることが出来、快適なひと時を与えることが出来る。
【００１５】
これにより、単に、商品の持ち運びだけではなく、商品の持ち運びが済んだ後でも、包装箱に有効な機能を発揮させることが出来、この包装箱の用途を増やすことが出来、販売数量も増やすことができる。
【００１６】
また、請求項２の考案によれば、前記蓋体を紙製としたので、一定の強度を有しながらも、軽量で、また、使用した後の処分も容易であり、使い勝手が良いものとなる。
【００１７】
請求項３の考案によれば、前記支持脚を紙製であって折畳み自在としたので、一定の強度を有しながらも、軽量で、また、使用した後の処分も容易であり、使い勝手が良いものとなる。
【図面の簡単な説明】
【００１８】
【図１】この考案の実施の形態例の支持脚付包装箱の蓋体によって形成した絵柄スタンドの斜視図である。
【図２】この考案の実施の形態例の支持脚付包装箱の蓋体により形成する箱の斜視図である。
【図３】この考案の実施の形態例の支持脚付包装箱の支持脚の展開図である。
【図４】この考案の実施の形態例の支持脚を包装箱の蓋体の裏面に取り付けた状態の説明図である。
【図５】この考案の実施の形態例の支持脚付包装箱の蓋体を用いた箱の斜視図である。
【図６】この考案の実施の形態例の支持脚付包装箱の蓋体の支持脚を蓋体の裏面に取り付けた状態の一部断面図である。
【図７】この考案の実施の形態例の支持脚付包装箱の蓋体の表面に他の絵柄を用いた状態の正面図である。
【考案を実施するための形態】
【００１９】
（実施の形態例）
以下、この考案の実施の形態例の支持脚付包装箱を図に基づいて説明する。この実施の形態例の支持脚付包装箱Ａ（以下、単に「包装箱Ａ」と言う。）は、図２に示すように、直方体形状で上面が開口した紙製の底箱１とこの底箱１に上方から被せる、同様に扁平で下面が開口した直方体形状の紙製の蓋体２から成る。
【００２０】
また、この蓋体２の裏面に支持脚３を取り付ける。ここでは、厚紙を用意し、この厚紙に、図３に示すように、展開図で略台形状の支持脚３を形成し、上辺の中央から上方へ舌片３ａを突出させ、この舌片３ａの幅を成す線を支持脚３上において、下辺まで垂下させ、相対向した折り目イ、ロと、これらの折り目イ、ロの左右側面に折り込み片３ｂを夫々形成している。
【００２１】
また、これらの折り目イ、ロの略中間部の一部を夫々外方へ膨らんだ切り込みとして設け、この切り込みの左右のおよそ両端を結ぶ線を折り目ハとして設け、この折り目ハより上の部分を折り込み片３ｃとして設けている。また、前記切り込みの上部の左右の位置であって、前記折り込み片３ｃに第一切欠き３ｄを夫々設け、前記切り込みの中部の左右の位置であって、左右の各折り込み片３ｂに第二切欠き３ｅを夫々設けている。
【００２２】
前記舌片３ａの裏面に接着材を貼着し（図４において斜線で示す。）、この部分を、図４に示すように、前記蓋体２の裏面の中央部の位置に当接してこの支持脚３を蓋体２の裏面に取り付ける。この支持脚３は、通常は、蓋体２の裏面に展開した状態で取り付けられている。
【００２３】
前記蓋体２の表面全体に、図１に示すように、絵柄、ここでは、一例として江戸時代の美人画４を描いている。
【００２４】
この様にして、図５に示す様な包装箱Ａを形成する。
【００２５】
次に、この包装箱Ａの蓋体２を使って、美人画４を鑑賞出来る絵柄スタンドＢを形成する。図６に示すように、前記蓋体２の裏面の支持脚３の左右の折り込み片３ｂを折り目イ、ロによって夫々折り上げ、前記折り込み片３ｃを折り目ハによって折り上げ、当該折り込み片３ｃの上部に設けた左右の第一切欠き３ｄを、前記折り込み片３ｂに設けた第二切欠き３ｅに係止する。
【００２６】
この後、図１に示すように、前記蓋体２を立設させ、前記支持脚３の下部を外方へ突出させて蓋体２の側面と支持脚３とで蓋体２を支持する。これにより、蓋体２は傾き、前方から、この蓋体２の美人画４が良く見え、見る人に、穏やかな気持ちや和やかな気持ちを抱かせることが出来、快適なひと時を与えることが出来る。
【００２７】
上記実施の形態例では、包装箱Ａを紙製としたが、包装箱Ａとしては、紙製に限るものではなく、プラスティック製や他の材質から成るものでも良い。また、包装箱Ａとしては、直方体形状として蓋体２の表面を四角形状としたが、これに限らず、蓋体２の表面が六角形状など多角形状としても良いし、円盤状でも良い。
【００２８】
さらに、支持脚３として厚紙から成るものとし、具体的な構成を記載したが、蓋体２を支持出来る支持脚が形成できるものなら、プラスティック製や他の材質、また、他の構成のものでも良い。
【００２９】
また、蓋体２の表面に美人画４を描いたものとしたが、もちろんこれに限らず、図７に示すように、富士山５などの絵柄でも良く、さらに、絵柄に限らず写真を転写したものや模様などでも良い。
【００３０】
また、前記実施の形態例では、縁付の蓋体２を用いたが、これに限らず、縁無しの板状の蓋体に使用することもできる。
【符号の説明】
【００３１】
Ａ    包装箱          Ｂ    絵柄スタンド
１    底箱            ２    蓋体              ３    支持脚
３ａ  舌片            ３ｂ  折り込み片        ３ｃ  折り込み片
３ｄ  第一切欠き      ３ｅ  第二切欠き        ４    美人画
５    富士山
イ    折り目          ロ    折り目            ハ    折り目
【図１】
0003197552.tif 000003
【図２】
0003197552.tif 000004
【図３】
0003197552.tif 000005
【図４】
0003197552.tif 000006
【図５】
0003197552.tif 000007
【図６】
0003197552.tif 000008
【図７】
0003197552.tif 000009